(57)【要約】【課題】誰からの発信であるかということを使用者が容易に把握することが可能なファクシミリ装置を提供する。【解決手段】制御部１０Ａは、ナンバーディスプレイ機能により発信元の電話番号を取得できなかった場合（Ｓ１３：ＮＯ）、受信している画像データの１ページ目のページデータから発信元情報を取出す処理を行う（Ｓ１４）。Ｓ１４で発信元情報の画データを取出せた場合（Ｓ１６：ＹＥＳ）、制御部１０Ａは、発信元情報の画データを、ＬＣＤの表示画面において表示が許容されている領域のサイズに合わせつつ（Ｓ１７）、表示する（Ｓ２４）。【選択図】        図７
2009153209.tif 000002
【特許請求の範囲】
【請求項１】
ファクシミリデータ受信手段と、
位置情報記憶手段と、
制御手段と、
画像出力手段と、
を備え、
前記ファクシミリデータ受信手段は、電話回線を介して、発信元装置が発信するファクシミリデータを受信する際に、前記ファクシミリデータを発信する発信元を示す画像である発信元情報を形成するための画データが前記ファクシミリデータ内のどの位置に存在するかを示す位置情報を特定するために、前記ファクシミリデータを発信する発信元装置の製造メーカまたは機種を示す情報を含む位置特定情報を前記発信元装置から受信し、
前記位置情報記憶手段は、前記位置特定情報と、前記位置特定情報が示す製造メーカが製造した発信元装置が発信するファクシミリデータまたは前記位置特定情報が示す機種の発信元装置が発信するファクシミリデータに係る前記位置情報と、を対応付けて記憶し、
前記制御手段は、前記ファクシミリデータ受信手段が前記ファクシミリデータを受信する際に、前記位置情報記憶手段を参照して、前記ファクシミリデータ受信部が受信する前記位置特定情報に対応する前記位置情報を特定し、特定した前記位置情報に従って前記ファクシミリデータから前記画データを切り出す画データ切出処理を実行し、前記画データ切出処理で切り出される前記画データから形成される発信元情報を前記画像出力手段に出力させる、
ことを特徴とするファクシミリ装置。
【請求項２】
請求項１に記載のファクシミリ装置であって、
前記ファクシミリデータ受信手段は、前記ファクシミリデータを受信する際に、前記発信元の電話番号が発信元番号通知機能により通知される場合には、通知される電話番号を受信し、
前記制御手段は、前記ファクシミリデータ受信手段が前記ファクシミリデータを受信する際に前記発信元の電話番号を受信した場合には、その電話番号を前記画像出力手段に出力させる一方で、前記ファクシミリデータ受信手段が前記ファクシミリデータを受信する際に前記発信元の電話番号を受信しなかった場合には、前記画データ切出処理で前記画データを切り出し、その画データから形成される発信元情報を前記画像出力手段に出力させる、
ことを特徴とするファクシミリ装置。
【請求項３】
請求項２に記載のファクシミリ装置であって、
前記制御手段は、前記ファクシミリデータ受信手段が複数ページの前記ファクシミリデータを受信する際に前記発信元の電話番号を受信した場合には、前記ファクシミリデータ受信手段が１ページ目のファクシミリデータの受信を完了する前にその電話番号を前記画像出力手段に出力させる一方で、前記ファクシミリデータ受信手段が複数ページの前記ファクシミリデータを受信する際に前記発信元の電話番号を受信しなかった場合には、前記ファクシミリデータ受信手段が１ページ目のファクシミリデータの受信を完了する前に、前記画データ切出処理で前記画データを切り出し、その画データから形成される発信元情報を前記画像出力手段に出力させる、
ことを特徴とするファクシミリ装置。
【請求項４】
請求項２に記載のファクシミリ装置であって、
リスト表示するための操作を受け付ける操作手段、
を備え、
前記制御手段は、前記ファクシミリデータ受信手段が受信する前記ファクシミリデータについて、前記ファクシミリデータごとに、前記ファクシミリデータ受信手段が前記ファクシミリデータを受信する際に前記発信元の電話番号を受信した場合には、その電話番号を対応付けて記憶手段に記憶させる一方で、前記ファクシミリデータ受信手段が前記ファクシミリデータを受信する際に前記発信元の電話番号を受信しなかった場合には、前記画データ切出処理で前記画データを切り出し、その画データを対応付けて前記記憶手段に記憶させ、前記記憶手段が記憶する複数のファクシミリデータのうち、前記記憶手段が前記電話番号と対応付けて記憶しているファクシミリデータについては、そのファクシミリデータについての情報と、その電話番号と、を対にして項目とする一方、前記記憶手段が前記画データと対応付けて記憶しているファクシミリデータについては、そのファクシミリデータについての情報と、その画データから形成される発信元情報と、を対にして項目とし、前記操作手段が操作を受け付ける際に、前記項目をリストしたリスト画像を前記画像出力手段に出力させる、
ことを特徴とするファクシミリ装置。
【請求項５】
請求項１に記載のファクシミリ装置であって、
前記発信元の電話番号を画像出力する画像出力手段と、
対応情報記憶手段と、
を備え、
前記対応情報記憶手段は、前記発信元の電話番号と、前記発信元に係る対応情報と、を対応付けて記憶し、
前記ファクシミリデータ受信手段は、前記ファクシミリデータを受信する際に、発信元番号通知機能により通知される前記発信元の電話番号を受信し、
前記制御手段は、前記ファクシミリデータ受信手段が前記ファクシミリデータを受信する際に受信する電話番号について、その電話番号を前記対応情報記憶手段が記憶している場合には、その電話番号に対応して前記対応情報記憶手段に記憶されている対応情報を前記画像出力手段に出力させる一方で、その電話番号を前記対応情報記憶手段が記憶していない場合には、前記画データ切出処理で前記画データを切り出し、その画データから形成される発信元情報を前記画像出力手段に出力させる、
ことを特徴とするファクシミリ装置。
【請求項６】
請求項５に記載のファクシミリ装置であって、
前記制御手段は、前記ファクシミリデータ受信手段が複数ページの前記ファクシミリデータを受信する際に、前記ファクシミリデータ受信手段が受信する電話番号を前記対応情報記憶手段が記憶している場合には、その電話番号に対応して前記対応情報記憶手段に記憶されている対応情報と、その電話番号とを、前記ファクシミリデータ受信手段が１ページ目のファクシミリデータの受信を完了する前に前記画像出力手段に出力させる一方で、前記ファクシミリデータ受信手段が複数ページの前記ファクシミリデータを受信する際に、前記ファクシミリデータ受信手段が受信する電話番号を前記対応情報記憶手段が記憶していない場合には、前記ファクシミリデータ受信手段が１ページ目のファクシミリデータの受信を完了する前に、前記画データ切出処理で前記画データを切り出し、その画データから形成される発信元情報と、その電話番号と、を前記画像出力手段に出力させる、
ことを特徴とするファクシミリ装置。
【請求項７】
請求項５に記載のファクシミリ装置であって、
リスト表示するための操作を受け付ける操作手段、
を備え、
前記制御手段は、前記ファクシミリデータ受信手段が受信する前記ファクシミリデータについて、前記ファクシミリデータごとに、前記ファクシミリデータ受信手段が前記ファクシミリデータを受信する際に受信する前記発信元の電話番号を前記対応情報記憶手段が記憶している場合には、そのファクシミリデータをその対応情報と対応付けて記憶手段に記憶させる一方で、前記ファクシミリデータ受信手段が前記ファクシミリデータを受信する際に受信する前記発信元の電話番号について、その電話番号を前記対応情報記憶手段が記憶していない場合には、前記画データ切出処理で前記画データを切り出し、そのファクシミリデータをその画データと対応付けて前記記憶手段に記憶させ、前記記憶手段が記憶する複数のファクシミリデータのうち、前記記憶手段が前記対応情報と対応付けて記憶しているファクシミリデータについては、そのファクシミリデータについての情報と、その対応情報と、を対にして項目とする一方、前記記憶手段が前記画データと対応付けて記憶しているファクシミリデータについては、そのファクシミリデータについての情報と、その画データから形成される発信元情報と、を対にして項目とし、前記操作手段が操作を受け付ける際に、前記項目をリストしたリスト画像を前記画像出力手段に出力させる、
ことを特徴とするファクシミリ装置。
【発明の詳細な説明】
【技術分野】
【０００１】
本発明は、電話回線を介してファクシミリデータを受信するファクシミリ装置に関する。
【背景技術】
【０００２】
近年、ファクシミリ（ＦＡＸ）装置には、任意の発信元からの発信を受けた場合に、公衆電話回線を通じて発信元に関する電話番号を取得し、その電話番号を表示することができる、いわゆるナンバーディスプレイ機能を備えるものがある。
【特許文献１】特開２００１−３２６７７１号公報
【発明の開示】
【発明が解決しようとする課題】
【０００３】
しかしながら、ナンバーディスプレイ機能を備えるファクシミリ装置であっても、発信元が非通知を選択した場合などには、電話番号を表示することができず、使用者は誰からの発信であるかということを把握することができない。
【０００４】
また、このようなファクシミリ装置には、名前等の対応情報を登録しているメモリ（電話帳）から、取得した電話番号に対応する対応情報を読み出して表示する機能を有するものもあるが、取得した電話番号が電話帳に登録されていない場合には、名前等の対応情報を表示することができず、電話番号を表示するのみとなるため、使用者は誰からの発信であるかということを把握しづらい。
【０００５】
本発明は、上記問題を鑑みて為されたものであり、誰からの発信であるかということを使用者が容易に把握することが可能なファクシミリ装置を提供することを目的とする。
【課題を解決するための手段】
【０００６】
この目的を達成するために、請求項１記載のファクシミリ装置は、ファクシミリデータ受信手段と、位置情報記憶手段と、制御手段と、画像出力手段と、を備え、ファクシミリデータ受信手段は、電話回線を介して、発信元装置が発信するファクシミリデータを受信する際に、ファクシミリデータを発信する発信元を示す画像である発信元情報を形成するための画データが前記ファクシミリデータ内のどの位置に存在するかを示す位置情報を特定するために、ファクシミリデータを発信する発信元装置の製造メーカまたは機種を示す情報を含む位置特定情報を発信元装置から受信し、位置情報記憶手段は、位置特定情報と、位置特定情報が示す製造メーカが製造した発信元装置が発信するファクシミリデータまたは位置特定情報が示す機種の発信元装置が発信するファクシミリデータに係る位置情報と、を対応付けて記憶し、制御手段は、ファクシミリデータ受信手段がファクシミリデータを受信する際に、位置情報記憶手段を参照して、ファクシミリデータ受信部が受信する位置特定情報に対応する位置情報を特定し、特定した位置情報に従ってファクシミリデータから画データを切り出す画データ切出処理を実行し、画データ切出処理で切り出される画データから形成される発信元情報を画像出力手段に出力させる、ことを特徴としている。
【０００７】
ここで、位置特定情報とは、装置の製造メーカや機種等によってどの位置に発信元情報が埋め込まれているかといった情報とすることができ、ファクシミリ装置は、発信元からファクシミリデータともに受信する信号から装置の製造メーカや機種等を取得した場合に、かかる情報から発信元情報が埋め込まれている位置を特定する。
【発明の効果】
【０００８】
以上説明したことから明らかなように、請求項１記載の発明によれば、ファクシミリデータの発信元装置の製造メーカや機種等により特定される、発信元を特定する発信元情報を形成するための画データがファクシミリデータ内のどの位置に存在するかを特定し、その画データを切り出すことができるため、使用者は、切り出した画データから形成される正確な発信元情報に基づいて、誰からの発信であるかということを容易に把握することが可能になる。
【０００９】
また、請求項２記載の発明によれば、ファクシミリデータの発信元を示すべく、発信元の電話番号を画面に表示出力したり媒体に印刷出力したりするよう構成されているファクシミリ装置において、発信元の電話番号が取得できなかった場合でも、電話番号の代わりに発信元情報を表示出力したり印刷出力したりできる。しかも、発信元情報は、発信元装置の製造メーカや機種等に対応して特定される、限られた領域の画データであるため、電話番号を表示出力するための画面や印刷出力するための媒体に対して、使用者が発信元を十分かつ容易に認識可能な画像が出力されることになる。
【００１０】
また、請求項３記載の発明によれば、ファクシミリデータの発信元を示すべく、ファクシミリデータを受信する際に発信元の電話番号を画面に表示出力するよう構成されているファクシミリ装置において、発信元の電話番号が取得できなかった場合でも、使用者が電話番号の代わりに発信元情報を十分かつ容易に認識可能に表示出力できる。しかも、電話番号と同様に、発信元情報も、ファクシミリデータの１ページ目の受信完了前から表示出力されるので、使用者は、電話番号と同様な使い勝手で、容易に発信元を認識できる。
【００１１】
また、請求項４記載の発明によれば、受信したファクシミリデータそれぞれについて、その発信元の電話番号を認識可能なリスト画像を画面に表示出力したり媒体に印刷出力したりするよう構成されているファクシミリ装置において、発信元の電話番号が取得できなかった場合でも、電話番号の代わりに発信元情報を認識可能なリスト画像を表示出力したり印刷出力したりできる。しかも、発信元情報は、発信元装置の製造メーカや機種等に対応して特定される、限られた領域の画データであるため、電話番号を表示出力するための画面や印刷出力するための媒体に対して、使用者が発信元を十分かつ容易に認識可能な画像が出力されることになる。
【００１２】
また、請求項５記載の発明によれば、ファクシミリデータの発信元を示すべく、発信元の電話番号と対応付けて記憶している対応情報を画面に表示出力したり媒体に印刷出力したりするよう構成されているファクシミリ装置において、発信元の電話番号と対応する対応情報が記憶されていなかった場合でも、対応情報の代わりに発信元情報を表示出力したり印刷出力したりできる。しかも、発信元情報は、発信元装置の製造メーカや機種等に対応して特定される、限られた領域の画データであるため、対応情報を表示出力するための画面や印刷出力するための媒体に対して、使用者が発信元を十分かつ容易に認識可能な画像が出力されることになる。
【００１３】
また、請求項６記載の発明によれば、ファクシミリデータの発信元を示すべく、ファクシミリデータを受信する際に発信元の電話番号とその電話番号と対応して記憶されている対応情報とを画面に表示出力するよう構成されているファクシミリ装置において、発信元の電話番号と対応する対応情報が記憶されていない場合でも、対応情報の代わりに発信元情報を十分認識可能に表示出力できる。しかも、対応情報と同様に、発信元情報も、ファクシミリデータの１ページ目の受信完了前から表示出力されるので、使用者は、対応情報と同様な使い勝手で、容易に発信元を認識できる。
【００１４】
また、請求項７記載の発明によれば、受信したファクシミリデータそれぞれについて、その発信元を認識できるようにリスト画像を画面に表示出力したり媒体に印刷出力したりするよう構成されているファクシミリ装置において、発信元の電話番号と対応する対応情報が取得できなかった場合でも、対応情報の代わりに発信元情報を認識できるようなリスト画像を表示出力したり印刷出力したりできる。しかも、発信元情報は、発信元装置の製造メーカや機種等に対応して特定される、限られた領域の画データであるため、対応情報を表示出力するための画面や印刷出力するための媒体に対して、使用者が発信元を十分かつ容易に認識可能な画像が出力されることになる。
【発明を実施するための最良の形態】
【００１５】
［第１実施形態］
本発明の第１実施形態について説明する。図１は、第１実施形態に係る複合機（Multi Function Device）１Ａの外観斜視図である。複合機１Ａは、下側本体に対して上側本体を開閉可能に取り付けてなる構造を有し、下側本体がプリンタ部２１，上側本体がスキャナ部２２とされている。なお、プリンタ部２１とスキャナ部２２は、本発明とは直接関係しないため説明を省略する。
【００１６】
また、複合機１Ａの上側本体の正面側に位置する操作パネルには、ＬＣＤ（Liquid Crystal Display）３や操作キー４が設けられている。
【００１７】
図２は、複合機１Ａの電気的構成を表すブロック図である。複合機１Ａでは、プリンタ部２１と、スキャナ部２２と、ＬＣＤ３と、操作キー４と、ＮＣＵ（Network Control Unit）５１と、ＭＯＤＥＭ（MOdulator DEModulator）５２と、各種インターフェース６１ないし６３と、制御部１０Ａと、がＡＳＩＣ（Application Specific Integrated Circuit）１０６に接続されている。
【００１８】
制御部１０Ａは、ＣＰＵ１０１，ＲＯＭ１０２，ＲＡＭ１０３，フラッシュメモリ１０４を含んで構成されるマイクロプロセッサからなる。これらは、バス１０５を介してＡＳＩＣ１０６に接続されている。ＲＯＭ１０２は、ＣＰＵ１０１が実行するプログラム及びそれに必要なデータを記憶している。ＲＡＭ１０３は、ＣＰＵ１０１がプログラムを実行する際に作業領域として利用される。
【００１９】
ＬＣＤ（Liquid Crystal Display）３は、各種表示を行うものであり、操作キー４は、各種操作が行われるものである。
【００２０】
ＮＣＵ５１及びＭＯＤＥＭ５３は、公衆電話回線と接続してファクシミリ（ＦＡＸ）機能を実現するためのものである。また、ナンバーディスプレイ機能により発信元の電話番号を取得するためのものでもある。
【００２１】
フラッシュメモリ１０４には、図３に示すように、電話帳のためのデータ領域７１と、みるだけ受信リストのためのデータ領域７２と、受信したファクシミリデータ（画像データ）を格納するためのデータ領域７３と、取出した発信元特定情報を格納するためのデータ領域７４と、が形成されている。
【００２２】
電話帳のためのデータ領域７１では、図４に示すように、いくつかの発信元について、発信元の識別番号である電話番号と対応情報である発信元の名前とを対応付けて記憶している。このデータ領域７１は、ナンバーディスプレイ機能により発信元の電話番号を取得した場合に参照される。
【００２３】
みるだけ受信リストのためのデータ領域７２は、図５に示すように、受信したＦＡＸについて、発信元の電話番号，受信時間，発信元情報のアドレス，ファクシミリデータのアドレスを対応付けて記憶している。発信元情報のアドレスは、データ領域７１に記憶されている発信元の名前の位置アドレスやデータ領域７４に記憶されている発信元情報の位置アドレスである。また、ファクシミリデータのアドレスは、データ領域７３に記憶されている受信したファクシミリデータ（画像データ）の位置アドレスである。
【００２４】
ＦＡＸの通信手順について説明する。ＦＡＸ通信は、ＩＴＵ−ＴのＦＡＸ通信規格に基づいて送信側端末と受信側端末との間で行われる。このＦＡＸ通信は、フェーズＡ→Ｂ→Ｃといった手順で進められる。
【００２５】
フェーズＡとは、呼の設定および回線確立における手順のことである。フェーズＡにおいて、送信側端末は、受信側端末へＣＮＧ（Calling Tone）を送信する。これに対し、受信側端末は、送信側端末へＣＥＤ（Called Station Identification）を送信する。送信側端末と受信側端末との間の接続を確立する。
【００２６】
フェーズＢとは、相手側の端末や公衆電話回線の状態を確認するための手順のことであり、これによりファクシミリデータ（画像データ）の伝送の準備が行われる。フェーズＢにおいて、受信側端末は、送信側端末へＤＩＳ（Digital Identifications Signal）・ＮＳＦ（Non-standard Facilities）・ＣＳＩ（Called Subscriber Identifications）を送信する。
【００２７】
このＤＩＳは、受信側端末の機能情報を含むものであり、この機能情報とは、例えば、通信能力（データ信号速度など）に関する情報、印刷能力（解像度、カラー印刷機能の有無等）に関する情報、出力可能な用紙サイズ（最大紙幅、紙の最大長）に関する情報などで構成される。
【００２８】
これに対し、送信側端末は、受信側端末へＤＣＳ（Digital Command Signal）・ＴＳＩ（Transmitting Subscriber Identifications）・ＮＳＳ（Non-Standard facilities Set-up）を送信する。このＤＣＳは、送信側端末が読取った原稿に関する情報と、受信側端末から受信したＤＩＳと、から発信条件を決定し、ＤＩＳに対する応答信号として送信するものである。
【００２９】
続いて、送信側端末は、受信側端末へＴＣＦ（Training Check）を送信する。このＴＣＦは、相手側のモデムの状態を確認するためのものである。
【００３０】
これに対し、受信側端末は、送信側端末へＣＦＲ（Confirmation To Receive）を送信する。このＣＦＲは、ＴＣＦによりモデム等の調整を行い、その調整が完了して受信の準備が整った場合に送信するものである。
【００３１】
フェーズＣとは、ファクシミリデータの伝送を行うための手順のことである。フェーズＣにおいて、送信側端末は、受信側端末へファクシミリデータを送信する。
【００３２】
以後のフェーズでは、送信側端末により受信側端末へＥＯＰ（End Of Procedures）の送信が行われる等して、これによってＦＡＸ通信が終了する。このＥＯＰは、ファクシミリデータの伝送が終了したことを示す信号である。
【００３３】
図６は、送信側端末から受信され、用紙等の媒体に形成されたファクシミリデータ（画像データ）の例である。これによると、ページのほぼ全体にわたって本文部分８１が形成されている。また、ページの先頭領域には、ヘッダー部分８２が形成されており、このヘッダー部分８２には、受信時の日付・時刻を表す部分８３，発信元の電話番号を表す部分８４，発信元のステーションＩＤ情報を表す部分８５，ページ数を表す部分８６が含まれる。
【００３４】
ここで、ステーションＩＤ情報とは、送信側端末に登録されている文字列の情報であって、通常、端末使用者の名前等を表す文字列が登録されている。このステーションＩＤ情報は、本発明にいう発信元情報に該当する。なお、ステーションＩＤは、ＦＡＸ通信のフェーズＢにおいて送信されるＴＳＩ（Transmitting Subscriber Identifications）コマンドに含まれる。
【００３５】
複合機１Ａの作動について説明する。
【００３６】
複合機１Ａの制御部１０Ａは、ＦＡＸの受信中に発信元に係る情報を表示する「（１）受信中表示」と、ＦＡＸの受信後に記憶している画像データを使用者の操作により呼び出す「（２）受信後表示（みるだけ受信）」と、を主に行う。以下、それぞれについて説明する。
（１）受信中表示
図７に、複合機１Ａの制御部１０Ａが行う処理のフローチャートを示す。
【００３７】
制御部１０Ａは、ＦＡＸの受信を開始すると（Ｓ１１）、装置の状態がセキュリティモードに設定されているか否かを判断する（Ｓ１２）。セキュリティモードとは、例えば、第三者に複合機１Ａを使用されることを防ぐためのモードである。
【００３８】
セキュリティモードに設定されていれば（Ｓ１２：ＹＥＳ）、制御部１０Ａは、発信元に関する情報を第三者に見られることを防止すべく、後述するような発信元の名前や番号、発信元情報の表示を制限する（Ｓ２６）。
【００３９】
他方、セキュリティモードが設定されていなければ（Ｓ１２：ＮＯ）、制御部１０Ａは、ナンバーディスプレイ機能（発信元番号通知機能）により発信元の電話番号を取得できたか否かを判断する（Ｓ１３）。このようなナンバーディスプレイ機能による発信元の電話番号の取得は、ＦＡＸ通信を開始する以前に、電話局交換機と複合機１Ａとの間で行われる。
【００４０】
ナンバーディスプレイ機能により発信元の電話番号を取得できた場合（Ｓ１３：ＹＥＳ）、制御部１０Ａは、取得した電話番号が電話帳（データ領域７１；図４参照）に登録されているかを検索する（Ｓ１５）。
【００４１】
取得した電話番号が電話帳（データ領域７１）に登録されていない場合（Ｓ１５：ＮＯ）、制御部１０Ａは、受信している画像データの１ページ目のページデータから発信元情報を取出す処理を行う（Ｓ１４）。
【００４２】
図９に、発信元情報を取出す処理（Ｓ１４）の処理内容を表すフローチャートを示す。まず、制御部１０Ａは、ＦＡＸ通信のフェーズＢで受信するＴＳＩ（Transmitting Subscriber Identifications）コマンドにステーションＩＤが含まれているか否かを判断する（Ｓ１４１）。
【００４３】
ステーションＩＤが含まれていない場合（Ｓ１４１：ＮＯ）、ファクシミリデータ（画像データ）にステーションＩＤの情報が表示されないので、発信元情報を取出すＳ１４２〜Ｓ１４３を行わずに終了する。
【００４４】
他方、ステーションＩＤが含まれている場合（Ｓ１４１：ＹＥＳ）、制御部１０Ａは、受信する画像データの解像度に応じて発信元情報を取出す領域を定める（Ｓ１４２）。
【００４５】
具体的には、発信元情報を取出す領域とは、１ページ目のページデータの先頭から読出し方向の所定幅（調査幅）の中に空白でない部分が存在する場合に、その位置から読出し方向の所定幅（発信元情報幅）の領域であり、これらの幅を解像度に応じて定める。ここで、読出し方向とは、画像データがライン単位で形成されている場合に、ラインの積層方向を指す。
【００４６】
すなわち、図１１のフローチャートに示すように、画像データの圧縮方式がＭＨ（Modified Huffman）方式・ＭＲ（Modified READ(Relative Element Address Designate)）方式・ＭＭＲ（Modified Modified READ）方式のいずれかであれば（Ｓ５１：ＹＥＳ）、画像データがライン単位で記述されていることから、解像度（Standard・Fine・Super Fine）に応じて（Ｓ５３，Ｓ５４）、調査幅を規定するための調査ライン数Ｍと発信元情報幅を規定するための発信元情報ライン数Ｎを決定する（Ｓ５６〜Ｓ５８）。
【００４７】
なお、画像データの圧縮方式がＪＰＥＧ（Joint Photographic Experts Group）方式もしくはＪＢＩＧ（Joint Bi-lebel Image Experts Group）であれば（Ｓ５２：ＮＯ）、画像データがブロック単位で記述されていることから、上記と同様に、調査幅を規定するためのブロック列数と発信元情報幅を規定するためのブロック列数を決定する。
【００４８】
Ｓ１４２において発信元情報を取出す領域を定めた後は、制御部１０Ａは、ＦＡＸ通信のフェーズＣを開始して（Ｓ１４３）、画像データを先頭から順次受信するとともに、定めた領域から発信元情報を画データとして取出す（切出す）（Ｓ１４４）。
【００４９】
Ｓ１４４について、画像データがライン単位で記述されている場合で説明すると、図１０のフローチャートに示すように、制御部１０Ａは、ラインを順次解凍して、ラインを構成するドットが全て白であるか（すなわち、文字等を表す黒のドットがないか）どうかを、調査ライン数Ｍに至るまで調査する（Ｓ３１〜Ｓ３４；判定部としての機能）。
【００５０】
調査ライン数Ｍまでの間に、全てが白のドットではないラインが存在した場合（すなわち、文字等を表す黒のドットを含むラインが存在した場合）（Ｓ３２：ＮＯ）、そのラインを先頭に発信元情報ライン数Ｎのラインをバッファに記憶することにより、画像データから発信元情報の画データを切出す（Ｓ３６〜Ｓ４１）。なお、バッファはＲＡＭ１０３に形成される。
【００５１】
以上のようにして、発信元情報の画データは、１ページ目のページデータの受信中にその先頭領域から取出される。すなわち、ＦＡＸ通信におけるフェーズＣの開始により、画像データを先頭から順次受信するとともに、それと並行して発信元情報の画データの取出しが行われる。
【００５２】
図７のフローチャートの説明に戻る。Ｓ１４で発信元情報の画データを取出せた場合（Ｓ１６：ＹＥＳ）、制御部１０Ａは、発信元情報の画データを、ＬＣＤ３の表示画面において表示が許容されている領域のサイズに合わせつつ（Ｓ１７）、ナンバーディスプレイ機能により取得した発信元の電話番号とともに表示する（Ｓ２１）。Ｓ２１におけるＬＣＤ３の表示例を図１２（ａ）に示す。ＬＣＤ３の表示画面には、ＦＡＸ受信中であることを示す表示３９とともに、発信元の電話番号の表示３１および取出した発信元情報の画データの表示３４Ａが表示されている。
【００５３】
なお、Ｓ１４では、発信元情報の画データを１ページ目のページデータの受信中にその先頭領域から取出しているので、Ｓ２１では、発信元情報の取出しの直後から表示３４Ａを表示することができる。すなわち、表示３４Ａの表示は、１ページ目のページデータの受信が完了する前から行われるので、ＦＡＸ受信中の比較的早い段階から使用者に誰からの発信であるかということを知らせることができる。これは、後述するＳ２４等の表示においても同様である。
【００５４】
他方、Ｓ１４で発信元情報の画データを取出せなかった場合（Ｓ１６：ＮＯ）、制御部１０Ａは、ナンバーディスプレイ機能により取得した発信元の電話番号を表示する（Ｓ２２）。Ｓ２２におけるＬＣＤ３の表示例を図１２（ｂ）に示す。ＬＣＤ３の表示画面には、ＦＡＸ受信中であることを示す表示３９とともに、発信元の電話番号の表示３１が表示されている。
【００５５】
Ｓ１５において、取得した電話番号が電話帳（データ領域７１）に登録されている場合（Ｓ１５：ＹＥＳ）、制御部１０Ａは、その電話番号に対応する名前をデータ領域７１から読み出して表示する（Ｓ２３）。Ｓ２３におけるＬＣＤ３の表示例を図１２（ｃ）に示す。ＬＣＤ３の表示画面には、ＦＡＸ受信中であることを示す表示３９とともに、発信元の電話番号に対応する名前の表示３３が表示されている。
【００５６】
Ｓ１３において、ナンバーディスプレイ機能により発信元の電話番号を取得できなかった場合（Ｓ１３：ＮＯ）、制御部１０Ａは、上述したような、受信している画像データの１ページ目のページデータから発信元情報を取出す処理を行う（Ｓ１４）。
【００５７】
Ｓ１４で発信元情報の画データを取出せた場合（Ｓ１６：ＹＥＳ）、制御部１０Ａは、発信元情報の画データを、ＬＣＤ３の表示画面において表示が許容されている領域のサイズに合わせつつ（Ｓ１７）、表示する（Ｓ２４）。Ｓ２４におけるＬＣＤ３の表示例を図１２（ｄ）に示す。ＬＣＤ３の表示画面には、ＦＡＸ受信中であることを示す表示３９とともに、取出した発信元情報の画データの表示３４Ａが表示されている。
【００５８】
他方、Ｓ１４で発信元情報の画データを取出せなかった場合（Ｓ１６：ＮＯ）、制御部１０Ａは、受信している画像データのうち１ページ目のページデータを表示する（Ｓ２５）。Ｓ２５におけるＬＣＤ３の表示例を図１２（ｅ）に示す。ＬＣＤ３の表示画面には、１ページ目のページデータの表示３５が表示されている。この表示３５は、１ページ目のページデータの受信後から表示される。一般に、ＦＡＸデータの１ページ目は発信元に関する情報が記載された表紙ページである可能性が高いので、発信元情報の画データを取出せなかった場合であっても、このように表示３５を表示することで使用者に誰からの発信であるかということを知らせることができる。
【００５９】
図８に、図７のフローチャートの変形例を示す。なお、同じ処理については同番号を付している。このように、発信元の電話番号を取得できたか否かの判断（Ｓ１３）と、取得した電話番号が電話帳（データ領域７１）に登録されているかの検索（Ｓ１５）と、を行う前から発信元情報を取出す処理（Ｓ１４）を予め行わせるようにしても良い。
（２）受信後表示
制御部１０Ａは、ＦＡＸの受信後に、記憶している画像データを使用者の操作により呼び出して表示する「受信後表示（みるだけ受信）」を行う。
【００６０】
上述したＦＡＸの受信に際し、制御部１０Ａは、受信した画像データをフラッシュメモリ１０４のデータ領域７３に記憶するとともに、その位置アドレスをみるだけ受信リスト（データ領域７２）に記憶する。また、これに対応付けて、ナンバーディスプレイ機能により発信元の電話番号を取得できた場合にはその電話番号を、取得した電話番号が電話帳（データ領域７１）に登録されていた場合にはそれに対応する名前の位置アドレスを、画像データから発信元情報を取出してデータ領域７４に記憶した場合にはその位置アドレスを、ＦＡＸの受信時刻とともにみるだけ受信リスト（データ領域７２）に記憶する（図５参照）。
【００６１】
「受信後表示（みるだけ受信）」において、制御部１０Ａは、始めに、データ領域７２の記憶内容（図５参照）に基づいて、みるだけ受信リストを表示する処理を行う。図１３に、この処理のフローチャートを示す。なお、この処理は、みるだけ受信リストを表示するための操作を使用者が操作キー４に対して行った場合に開始する。
【００６２】
図１３のフローチャートによると、制御部１０Ａは、まず、記憶している画像データの件数をデータ領域７２から取得する（Ｓ６１）。そして、データ領域７２に記憶されている各件について、発信元に関する情報や受信時間を読出し、みるだけ受信リストを作成して表示する（Ｓ６２〜Ｓ７１）。
【００６３】
具体的には、制御部１０Ａは、データ領域７２に記憶されている各件について、画像データから発信元情報を取出してデータ領域７４に記憶している場合には（Ｓ６５：ＹＥＳ）、その発信元情報を読み出して受信時間とともに表示する（Ｓ６６）。また、ナンバーディスプレイ機能により発信元の電話番号を取得できた場合や取得した電話番号が電話帳（データ領域７１）に登録されていた場合には（Ｓ６７：ＹＥＳ）、その電話番号や名前を受信時間とともに表示する（Ｓ６８）。また、発信元情報を取出していない場合かつ発信元の電話番号を取得していない場合には（Ｓ６５，Ｓ６７：ＮＯ）、受信時間情報のみ表示する（Ｓ６９）。
【００６４】
みるだけ受信リストの表示例を、図１４に示す。図１４（ａ）に示すように、Ｓ６８において、ＬＣＤ３の表示画面に表示されたリスト３５の中には、受信時間を表す表示４１と、ナンバーディスプレイ機能により取得した電話番号を基に電話帳（データ領域７１）から読み出された名前の表示４２と、を含んだ項目がリスト３５を構成する１つの項目として表示される。また、図１４（ｂ）に示すように、Ｓ６６において、ＬＣＤ３の表示画面に表示されたリスト３５の中には、受信時間を表す表示４１と、データ領域７４から読み出された発信元情報の表示３４Ａと、を含んだ項目がリスト３５を構成する１つの項目として表示される。
【００６５】
また、ＬＣＤ３の表示画面に表示されたリスト３５は、対応する画像データをデータ領域７３から読み出して出力するために用いられる。具体的には、使用者による操作キー４の操作によって、リスト３５の中で項目を指定するカーソル４８を移動させ、該当する項目が選択されることで、対応する画像データをデータ領域７３から読み出して、ＬＣＤ３の表示画面に表示許容領域のサイズに合わせて表示するか、または、プリンタ部２１によって用紙に印刷する。すなわち、発信元情報の表示３４Ａは、対応する画像データをデータ領域７３から呼び出すための表示とされている。また、ＬＣＤ３の表示画面には、表示および印刷のための案内表示４９も表示されている。
【００６６】
なお、以上の実施形態では、みるだけ受信リストをＬＣＤ３の表示画面に出力していたが、これに限らず、みるだけ受信リストをプリンタ部２１によって用紙等の媒体に出力するようにしても良い。
［第２実施形態］
本発明の第２実施形態について説明する。以下、主に第１実施形態と異なる点について述べ、重複する箇所については同番号を付すことにより説明を省略する。第２実施形態に係る複合機１Ｂは、第１実施形態と同様の構成を有する。
【００６７】
複合機１Ｂの制御部１０Ｂは、第１実施形態と同様に、「（１）受信中表示」と「（２）受信後表示（みるだけ受信）」とを主に行う。
【００６８】
「（１）受信中表示」において、複合機１Ｂの制御部１０Ｂは、画像データから発信元情報を取出すステップＳ１４（図７及び８参照）を、図１５のフローチャートに示すように、画像データから文字を識別して発信元情報を文字データとして取出す処理として行う。
【００６９】
具体的には、ＴＳＩコマンドにステーションＩＤが含まれている場合に（Ｓ１４１：ＹＥＳ）、１ページ目のページデータの先頭から読出し方向の所定幅（調査ライン数Ｐ）の領域を文字識別領域として設定し（Ｓ８１，Ｓ８２）、その領域から文字を識別して文字データに変換する（Ｓ８３；文字読取部としての機能）。画像データから文字を識別して文字データに変換する手法としては、周知のＯＣＲ（Optical Character Recognition）による手法を用いることができる。
【００７０】
文字データに変換できた場合（Ｓ８４：ＹＥＳ）、制御部１０Ａは、その文字データから数字もしくは記号ではない文字を含む文字列を発信元情報として抽出して記憶する処理を行う（Ｓ８６；抽出部としての機能）。
【００７１】
Ｓ８６の処理内容の例を、図１６のフローチャートに示す。Ｓ８６において、制御部１０Ａは、変換した文字データに含まれる単語の中に数字や記号（例えば“−”の記号）以外の文字が含まれているかどうかを判断する（Ｓ８６１）。ここで、単語とは、変換した文字データにおいて空白部分（例えば、連続する空白文字）に区切られた文字の塊をいう。数字や記号以外の文字が含まれている場合（Ｓ８６１：ＹＥＳ）、制御部１０Ａは、その単語を発信元情報と判断する（Ｓ８６３）。
【００７２】
制御部１０Ａは、このようにして文字データとして取出された発信元情報を、Ｓ２４（図７及び８参照）においてＦＡＸの受信中に表示する。図１７に表示例を示す。ＬＣＤ３の表示画面には、ＦＡＸ受信中であることを示す表示３９とともに、取出した発信元情報の文字データの表示３４Ｂが表示される。
【００７３】
また、制御部１０Ａは、文字データとして取出された発信元情報をフラッシュメモリ１０４のデータ領域７４に記憶するとともに、「（２）受信後表示（みるだけ受信）」のみるだけ受信リストを表示する処理（図１３参照）において、文字データとして取出された発信元情報を読み出し、みるだけ受信リストに含めて表示する。
【００７４】
みるだけ受信リストの表示例を、図１８に示す。Ｓ６６（図１３参照）において、ＬＣＤ３の表示画面に表示されたリスト３５の中には、受信時間を表す表示４１と、データ領域７４から読み出された発信元情報の文字データの表示３４Ｂと、を含む項目が表示される。
［第３実施形態］
本発明の第３実施形態について説明する。以下、主に第１実施形態および第２実施形態と異なる点について述べ、重複する箇所については同番号を付すことにより説明を省略する。第３実施形態に係る複合機１Ｃは、第１実施形態および第２実施形態と同様の構成を有する。
【００７５】
複合機１Ｃの制御部１０Ｃは、第１実施形態および第２実施形態と同様に、「（１）受信中表示」と「（２）受信後表示（みるだけ受信）」とを主に行う。
【００７６】
「（１）受信中表示」において、複合機１Ｃの制御部１０Ｃは、画像データから発信元情報を取出すステップＳ１４（図７及び８参照）を、図１９のフローチャートに示すように、画像データの中で発信元情報が埋め込まれている位置を特定可能な位置特定情報（本実施形態では製造メーカ名が例示されているが、ここで、位置特定情報とは、発信元から画像データとともに受信する信号から取得する装置の製造メーカや機種等である）が発信元から受信する信号に含まれている場合に、それにより特定される位置から発信元情報を取出す処理として行う。
【００７７】
具体的には、ＴＳＩコマンドにステーションＩＤが含まれている場合に（Ｓ１４１：ＹＥＳ）、制御部１０Ａは、ＮＳＳ（Non-Standard facilities Set-up）コマンドに含まれている国内方式設定者モードにより発信元装置の製造メーカ名を取得して、取得した製造メーカ名から画像データの中で発信元情報が埋め込まれている位置を特定できるか否かを判定する（Ｓ９１，Ｓ９２）。
【００７８】
図６に示したように、ファクシミリデータ（画像データ）において、ページのヘッダー部分８２には発信元のステーションＩＤ情報を表す部分８５が含まれることになるが、このステーションＩＤ情報を表す部分８５が形成される位置は特に定めがあるわけではないことから、装置の製造メーカによってその位置が異なっている場合が多い。しかし、裏を返せば、発信元装置の製造メーカ名がわかれば、画像データにおいてステーションＩＤ情報を表す部分８５が形成される位置を特定可能であることから、制御部１０Ａは、発信元装置の製造メーカ名を取得して（Ｓ９１）、その製造メーカ名によって発信元情報（すなわち、ステーションＩＤ情報を表す部分８５）が埋め込まれている位置を特定できるか否かを判定する（Ｓ９２）。そのため、制御部１０Ａは、画像データにおいてステーションＩＤ情報を表す部分８５が形成される位置の情報を製造メーカ毎に対応付けてＲＯＭ１０２等に記憶している。
【００７９】
取得した製造メーカ名から画像データの中で発信元情報が埋め込まれている位置を特定できる場合には（Ｓ９２：ＹＥＳ）、制御部１０Ａは、それにより特定される領域を画像データから切出して、切出した画データを発信元情報として記憶する（Ｓ９３，Ｓ９４）。
【００８０】
制御部１０Ａは、このようにして画データとして取出された発信元情報を、Ｓ２４（図７及び８参照）においてＦＡＸの受信中に表示する。図２０に表示例を示す。ＬＣＤ３の表示画面には、ＦＡＸ受信中であることを示す表示３９とともに、取出した発信元情報の画データの表示３４Ｃが表示される。
【００８１】
また、制御部１０Ａは、画データとして取出された発信元情報をフラッシュメモリ１０４のデータ領域７４に記憶するとともに、「（２）受信後表示（みるだけ受信）」のみるだけ受信リストを表示する処理（図１３参照）において、画データとして取出された発信元情報を読み出し、みるだけ受信リストに含めて表示する。
【００８２】
このようにして表示されるリストの表示例を、図２１に示す。Ｓ６６（図１３参照）において、ＬＣＤ３の表示画面に表示されたリスト３５の中には、受信時間を表す表示４１と、データ領域７４から読み出された発信元情報の画データの表示３４Ｃと、を含んだ項目が表示される。
【００８３】
以上、本発明の実施形態について説明したが、本発明はこれらの形式に限定されるものではなく、これらに具現された発明と同一性の範囲内において適宜変更して実施し得る。例えば、通信措置としてスキャナ機能・プリンタ機能・ファクシミリ機能などを備えた複合機を例示したが、ファクシミリ機能のみを備えたファクシミリ装置であっても良い。
【図面の簡単な説明】
【００８４】
【図１】複合機の外観斜視図
【図２】複合機の電気ブロック図
【図３】フラッシュメモリの記憶内容を説明する図
【図４】電話帳リストのメモリマップ
【図５】みるだけ受信リストのメモリマップ
【図６】ファクシミリデータ（画像データ）の例
【図７】受信中表示（その１）の処理内容を表すフローチャート
【図８】受信中表示（その２）の処理内容を表すフローチャート
【図９】発信元情報の取得の処理内容を表すフローチャート（第１実施形態）
【図１０】図９のフローチャートの詳細を表すフローチャート（第１実施形態）
【図１１】発信元情報を取得する領域を定める処理内容を表すフローチャート（第１実施形態）
【図１２】受信中表示の画面表示例を示す図（第１実施形態）
【図１３】みるだけ受信におけるリスト表示の処理内容を表すフローチャート
【図１４】リスト表示の画面表示例を示す図（第１実施形態）
【図１５】発信元情報の取得の処理内容を表すフローチャート（第２実施形態）
【図１６】発信元情報を抽出する処理内容を表すフローチャート（第２実施形態）
【図１７】受信中表示の画面表示例を示す図（第２実施形態）
【図１８】リスト表示の画面表示例を示す図（第２実施形態）
【図１９】発信元情報の取得の処理内容を表すフローチャート（第３実施形態）
【図２０】受信中表示の画面表示例を示す図（第３実施形態）
【図２１】リスト表示の画面表示例を示す図（第３実施形態）
【符号の説明】
【００８５】
１Ａ〜１Ｃ  複合機
３  ＬＣＤ
４  操作キー
５１  ＮＣＵ
５２  ＭＯＤＥＭ
１０Ａ〜１０Ｃ  制御部
１０４  フラッシュメモリ
７１  電話帳のためのデータ領域
７２  みるだけ受信リストのためのデータ領域
７３  ファクシミリデータ（画像データ）を格納するためのデータ領域
７４  取出した発信元情報を格納するためのデータ領域
【図１】
2009153209.tif 000003
【図２】
2009153209.tif 000004
【図３】
2009153209.tif 000005
【図４】
2009153209.tif 000006
【図５】
2009153209.tif 000007
【図６】
2009153209.tif 000008
【図７】
2009153209.tif 000009
【図８】
2009153209.tif 000010
【図９】
2009153209.tif 000011
【図１０】
2009153209.tif 000012
【図１１】
2009153209.tif 000013
【図１３】
2009153209.tif 000014
【図１４】
2009153209.tif 000015
【図１５】
2009153209.tif 000016
【図１６】
2009153209.tif 000017
【図１８】
2009153209.tif 000018
【図１９】
2009153209.tif 000019
【図１２】
2009153209.tif 000020
【図１７】
2009153209.tif 000021
【図２０】
2009153209.tif 000022
【図２１】
2009153209.tif 000023